(57)【要約】【課題】      本考案は、通気性並びに熱伝導性が良好で、孵化成長後の成虫に依って食い破られない蓋部通気口を備え、しかも狭小な店頭でもその美観を損なうことなく多数多段陳列し得る衛生的で透明な昆虫孵化用菌糸壜を提供せんとするものである。【解決手段】      上記課題を達成する為に、壜本体を透明な材料で製造すると供に、その蓋部の中央に通気開口を設け、その開口部をアルミプレートとウレタンフォームとで被覆して、孵化後の成虫に依って喰い破られない様にすると同時に、外部からごみ並びに小昆虫が侵入しない様に構成し、それと同時に当該アルミプレートの良好な熱伝導性で壜本体の結露を防ぎ、壜内を清潔に維持し、更に前記蓋部の上部周縁に所定高さ、所定厚み及び所定幅の切り欠き凹凸を設けると同時に、壜本体の底部周縁に所定厚み、所定深さの凹部を設けて、前記蓋部の切り欠き凸部と通気自在に嵌合連結し得る様に構成した事を特徴とする。【選択図】      図  １【実用新案登録請求の範囲】
【請求項１】
透明円筒型昆虫孵化用菌糸壜本体（１）と、透明若しくは不透明の蓋部（３）と、前記壜本体内に充填された昆虫幼虫飼育用菌糸床（２）とより成り、前記蓋部の中央には円形の通気口（１１）が開口されると供に、円形の細孔付きアルミプレート（５）と同形のウレタンフォーム（４）とで被覆固定され、更にこの蓋部の上部周縁には、所定高さ、所定厚み及び所定幅の切り欠き凹凸部（１０）（９）が設けられると同時に、前記壜本体底部外側には、前記蓋部切り欠き凸部（９）に嵌合支承される凹部（７）が設けられている事を特徴とする昆虫孵化用菌糸壜。
【請求項２】
前記円筒型昆虫孵化用菌糸壜が、曲面体、多角面体、四面体である事を特徴とする請求項１記載の昆虫孵化用菌糸壜。
【考案の詳細な説明】
【考案の詳細な説明】
【技術分野】
【０００１】        本考案は昆虫飼育容器特に昆虫孵化用菌糸壜に関する。
【背景技術】
【０００２】        従来、此の種昆虫孵化用菌糸壜又は容器（以下昆虫孵化用菌糸壜と記載する）は、通常飼育する昆虫の呼吸用と飼育床より発生する悪臭や熱等の消散用として、その蓋部の適当箇所に適当寸法の孔を開けると同時に、飼育昆虫の逃亡を防ぐ為に、不織布や網等で此を被覆貼着する事を常とし、飼育される昆虫の発育並びに生活状態を観察し得る様に透明壜として製作されるのが普通であった。
此の様な飼育壜及び飼育技術は、以下の先行特許文献に開示されている。
【特許文献１】  特許公開２００１−５４３３９
【特許文献２】  特許公開２００２−５８３９０
【特許文献３】  実用新案登録第３０８８９９７号
【考案の開示】
【考案が解決しようとする課題】
【０００３】        然しながら、此等先行特許文献の技術の内、上記通気用開孔を被覆する材質が不織布、紙、織布、通気孔を有する合成樹脂シート等では、孵化後の成虫に依って噛み破られて逃亡されたり、又その孔が細過ぎると通気が悪く壜内が酸欠したり、臭いが籠ったりすると同時に、飼育菌糸床から発生する熱の放散が不充分となって容器内の温度が上昇し、外気との温度差に依り、壜内外が結露して飼育床を湿らし、非衛生的な飼育環境を醸成する。
本考案は、此の様な従来技術の欠点を改善する事を課題とする。
【課題を解決する為の手段】
【０００４】        本考案に於ては、此の様な課題を解決する為に：
（１）  壜蓋部のの中央に通気口を設ける。
（２）  この通気口に通気蓋支承固定用の突起付き収納部を設ける。
（３）  前記通気蓋として細孔付きアルミプレートを前記収納部に取り付ける。
（４）  更にその上に同形のウレタンフォームを重ね合わせて取り付ける。
（５）  壜の蓋部の上部周縁に所定高さ、所定厚み及び所定幅の凹凸部を設けると同時に        壜本体底部外周に此の凸部を受け入れる衝合凹部を設けて積み重ね連結し得る様        に構成する。
事を特徴とし、此の特徴に依って上記従来技術の欠点を克服する事が可能となった。
【考案の効果】
【０００５】          上記の如き特徴に依り、中央口に設けられた細孔付きアルミプレートに依り、壜内の通気性は維持されると同時に、此の部分を噛み破っての昆虫の脱走は抑止され、その良好な熱伝導性の為に、壜内に発生する熱は効率よく放散され、壜本体の温度上昇を抑え、壜内外の結露は防止されて、昆虫の衛生的な生活環境は維持される。
【０００６】        更に又、此のアルミプレート上に取り付けられたウレタンフォームは、前記プレートの通気性を阻害する事なく外部からの小昆虫或はごみの侵入又は混入を防止して、壜内の衛生化を助けると供に、壜の蓋部及び底部の凹凸形状は、壜内えの通気性を阻害する事なく上下二壜の積み重ね陳列又は収納を可能とするので、狭小な店内での効率的な展示及び販売を可能とする効果を有している。
【考案を実施するための最良の形態】
【実施例１】
【０００７】        本考案の昆虫孵化用菌糸壜は、透明な材料例えばガラス或はプラスチック等より成る円筒型壜本体（１）に、幼虫（８）を飼育する適当な栄養素を含んだ菌糸床（２）を充填し、透明若しくは不透明の適当な材料より成る蓋部（３）で被蓋した構造より成る。【０００８】        此の蓋部（３）は、その中央部に通気口（１１）を備え、此の開口部の内側には、細孔（６）付きのアルミプレート（５）とこれを被覆する同形のウレタンフォーム（４）とを収納固定する支承溝（１２）が設けられており、昆虫飼育時には、図３に示す如く、此等溝内に前記細孔付きアルミプレート（５）を下側にして閉塞されている。【０００９】        従って、壜（１）内の幼虫（８）の成長過程は、外側から容易に観測する事が出来、成長して成虫となっても、前記アルミプレートの被蓋は、食い破られる事がなく、又その上側を覆った円形ウレタンフォーム（４）は、壜内外の通気性を妨げる事無く、外部からの小昆虫例えば小蠅やごみ等の侵入又は混入を防止するので、壜内の衛生環境は汚染される事がない。【００１０】        更に又、此のアルミプレート（５）は、熱伝導率が高く、飼育菌糸床の発熱に依る壜の温度上昇を放熱して、外気との温度差を低く抑えるので結露せず、壜内外に水分を発生させず、飼育菌糸床を清潔に維持して壜内の不衛生化を防止する。【００１１】        一方、上記蓋部（３）は、その上部周縁に所定高さ、所定厚み及び所定幅の切り欠き凸部（９）（９）．．を備え、図３に示す様に、他の菌糸壜（１−１）の底部外周凹部（７）と嵌合して相互に連結組合され、二壜一体として店頭に展示され、収納される。【００１２】        此の様な二壜一体の積み重ねに於て、上記切り欠き凸部（９）（９）間の切り欠き凹部（１０）（１０）は、矢印（ａ）（ａ）方向からの通気を妨げず、（ａ’）（ａ’）方向から壜内えと通気する。
以上本考案の実施の態様を筒型昆虫飼育菌糸壜について説明したが、勿論他の曲面体型、多角体型、方形体型等何れの壜又は容器であっても何ら差し支えない事は言うまでもない所である。
【産業上の利用可能性】
【００１３】        斯の如き構成及び作用に依って、本考案の昆虫飼育菌糸壜は、孵化後の成虫が蓋部の通気孔被覆材を喰い破って逃亡する事もなく又結露も生ぜず、外部から小昆虫又は異物が侵入又は混入しないので衛生的であり、店頭又は倉庫等に於ては、相互に積み重ねて体裁よく陳列或は収納し得るので、業者及び顧客に好感を以て受け入れられると推測される。
【図面の簡単な説明】
【００１４】
【図１】  本考案の昆虫孵化用菌糸壜の斜視図である。
【図２】  本考案の昆虫孵化用菌糸壜の蓋部の組立を示す斜視図である。
【図３】  本考案の二個の昆虫孵化用菌糸壜の積み重ね状態を示す切断正面図である。
【符号の説明】
【００１５】        １        昆虫孵化用菌糸壜本体
２        栄養素を含んだ菌糸床
３        蓋部
４        ウレタンフォーム
５        アルミプレート
７        壜本体底凹部
８        昆虫幼虫
９        蓋部周縁切り欠き凸部
１０        蓋部周縁切り欠き凹部
【図１】
0003102823.tif 000002
【図２】
0003102823.tif 000003
【図３】
0003102823.tif 000004